(57)【要約】【課題】ブラックマトリックス層等の有色層を表面基板と隔壁との間に形成することによる問題を生じさせることなく、画素に対応する各セルと各セルの境界部分とのコントラスト比を向上させ、画像視認性を向上させた画像表示パネルを提供する。【解決手段】裏面基板２０ｂ、隔壁５０及び接着層６０は、透明であり、隔壁５０は、表面基板２０ａ側から視て、格子状に形成され、情報表示領域１０Ａにおいて、裏面基板２０ｂの外側には、有色層７０が形成され、表面基板２０ａの外側には、光を散乱する散乱層８０が形成されている。【選択図】図３
2011209325.tif 000002
【特許請求の範囲】
【請求項１】
情報が表示される情報表示領域と、表示された前記情報が視認される側に形成される透明な表面基板と、前記表面基板に対向する裏面基板と、複数の粒子からなる電気的に駆動可能な表示媒体と、前記表面基板と前記裏面基板との間に形成され、前記表示媒体を封入する空間を仕切る隔壁と、前記表面基板側に形成される透明な表面電極と、前記裏面基板側に形成される裏面電極とを有し、
前記隔壁上に接着層が形成され、前記隔壁及び前記接着層を介して前記表面基板と前記裏面基板とが固定され、
前記表面電極と前記裏面電極とに電圧を印加して前記表示媒体を駆動させて前記情報を表示する画像表示パネルであって、
前記裏面基板、前記隔壁及び前記接着層は、透明であり、
前記隔壁は、前記表面基板側から視て、格子状に形成され、
前記情報表示領域において、前記裏面基板の外側には、有色層が形成され、
前記表面基板の外側には、光を散乱する散乱層が形成されている画像表示パネル。
【請求項２】
前記有色層は、前記表面基板側から視て、前記隔壁と対応する部分に形成されている請求項１に記載の画像表示パネル。
【請求項３】
前記有色層は、前記情報表示領域の全面に形成されている請求項１に記載の画像表示パネル。
【請求項４】
前記散乱層は、前記散乱層の表面に凹凸を有することにより、光を散乱する請求項１から３の何れか１項に記載の画像表示パネル。
【請求項５】
前記散乱層は、前記散乱層の屈折率と異なる屈折率を持つ粒子を前記散乱層内部に含むことにより、光を散乱する請求項１から４の何れか１項に記載の画像表示パネル。
【請求項６】
前記接着層は、前記隔壁よりも前記裏面基板側に形成されている請求項１から５の何れか１項に記載の画像表示パネル。
【請求項７】
前記画像表示パネルは、前記表面基板と前記表面電極との間に透明な平坦化層を有し、
前記平坦化層の前記表面電極側は、平らに形成されている請求項１から６の何れか１項に記載の画像表示パネル。
【請求項８】
前記画像表示パネルは、カラーフィルタを有し、
前記カラーフィルタは、前記表面基板の内側の表面上に形成され、前記平坦化層で覆われている請求項７に記載の画像表示パネル。
【発明の詳細な説明】
【技術分野】
【０００１】
本発明は、情報が表示される表面基板側に形成される電極と、表面基板に対向する裏面基板側に形成される電極とに電圧を印加することにより表示媒体を駆動させて情報を表示する画像表示パネルに関する。
【背景技術】
【０００２】
従来、情報が表示される情報表示領域を有する透明な表面基板と、前記表面基板に対向する裏面基板との間に、隔壁により互いに隔離された空間（セル）を形成し、複数の粒子からなる電気的に駆動可能な表示媒体をセル内に１種類以上封入した画像表示パネルが知られている。表面基板側に形成された電極と、裏面基板側に形成された電極とに電圧を印加することによって、表示媒体を移動させて、観察者に情報を表示している。
【０００３】
このような画像表示パネルにおいて、画像視認性を向上するために、隔壁と表面基板との間にブラックマトリックス層を形成することが知られている（例えば、特許文献１）。隔壁は、表面基板側から視て、格子状に形成されている。このため、隔壁と表面基板との間にブラックマトリックス層を設けることによって、情報表示領域を視たときに、各セルの周囲が黒く視認される。従って、画素に対応する各セルと、各セルの境界部分とのコントラスト比が向上するため、観察者の画像視認性を向上できる。
【先行技術文献】
【特許文献】
【０００４】
【特許文献１】特開２００４−５４２８７号公報
【発明の概要】
【発明が解決しようとする課題】
【０００５】
ブラックマトリックス層は、通常、フォトリソグラフィを用いて形成される。具体的には、表面基板上に形成された表面電極上に、ブラックマトリックス層となるペーストを塗布する。塗布されたペーストのうち、ブラックマトリックス層を形成したい部分、すなわち、隔壁が形成される部分を露光する。露光していないペーストを洗浄することによって、露光していないペーストを除去する。これによって、露光した部分にのみブラックマトリックス層が形成される。
【０００６】
隔壁は、格子状に形成されるため、ブラックマトリックス層も格子状に形成される。このため、露光した部分と露光していない部分とが入り組んでおり、未露光のペーストを完全に取り除けていない場合もあった。
【０００７】
未露光のペーストがセル内に存在した場合、未露光のペーストは、導電性を有するため、表面電極と裏面電極との短絡を発生させる可能性があった。
【０００８】
さらに、未露光のペーストは、黒色であるため、セル内の白反射率が低下する。従って、未露光のペーストを取り除けていないセルに対応する画素は、コントラストが低下する。従って、観察者の画像視認性や表示品質の低下につながる。これには、ホワイトマトリックス層についても同様の問題が生じる。
【０００９】
そこで、本発明は、このような状況に鑑みてなされたものであり、ブラックマトリックス層等の有色層を表面基板と隔壁との間に形成することによる問題を生じさせることなく、画素に対応する各セルと各セルの境界部分とのコントラスト比を向上させ、画像視認性を向上させた画像表示パネルを提供することを目的とする。
【課題を解決するための手段】
【００１０】
上述した課題を解決するため、本発明は、次のような特徴を有している。本発明の特徴は、情報が表示される情報表示領域と、表示された前記情報が視認される側に形成される透明な表面基板と、前記表面基板に対向する裏面基板と、複数の粒子からなる電気的に駆動可能な表示媒体と、前記表面基板と前記裏面基板との間に形成され、前記表示媒体を封入する空間を仕切る隔壁と、前記表面基板側に形成される透明な表面電極と、前記裏面基板側に形成される裏面電極とを有し、前記隔壁上に接着層が形成され、前記隔壁及び前記接着層を介して前記表面基板と前記裏面基板とが固定され、前記表面電極と前記裏面電極とに電圧を印加して前記表示媒体を駆動させて前記情報を表示する画像表示パネルであって、前記裏面基板、前記隔壁及び前記接着層は、透明であり、前記隔壁は、前記表面基板側から視て、格子状に形成され、前記情報表示領域において、前記裏面基板の外側には、有色層が形成され、前記表面基板の外側には、光を散乱する散乱層が形成されていることを要旨とする。
【００１１】
本発明の特徴によれば、裏面基板、隔壁及び接着層は、透明であり、隔壁は、表面基板側から視て、格子状に形成され、情報表示領域において、裏面基板の外側には、有色層が形成されている。このため、表面基板側から視た観察者は、格子状の有色層を視認することができる。すなわち、画素に対応する各セルの周囲が有色層の色に視認される。これによって、画素に対応する各セルと各セルの境界部分とのコントラスト比が向上する。裏面基板の外側に有色層が形成されているため、表面電極と裏面電極との短絡が発生することもない。
【００１２】
散乱層が形成されていない場合には、隔壁を透明にしたことで、表面基板側と裏面基板側をつなぐために隔壁に形成される接着層の接着ムラが、観察者に観察される。これによって、表示品質の低下につながる。本発明の画像表示パネルでは、表面基板の外側には、光を散乱する散乱層が形成されている。このため、接着ムラが観察者に観察されなくなり、画像視認性及び表示品質の低下を抑制することができる。
【００１３】
本発明の他の特徴は、前記有色層は、前記表面基板側から視て、前記隔壁と対応する部分に形成されていることを要旨とする。
【００１４】
本発明の他の特徴は、前記有色層は、前記情報表示領域の全面に形成されていることを要旨とする。
【００１５】
本発明の他の特徴は、前記散乱層は、前記散乱層の表面に凹凸を有することにより、光を散乱することを要旨とする。
【００１６】
本発明の他の特徴は、前記散乱層は、前記散乱層の屈折率と異なる屈折率を持つ粒子を前記散乱層内部に含むことにより、光を散乱することを要旨とする。
【００１７】
本発明の他の特徴は、前記接着層は、前記隔壁よりも前記裏面基板側に形成されていることを要旨とする。
【００１８】
本発明の他の特徴は、前記画像表示パネルは、前記表面基板と前記表面電極との間に透明な平坦化層を有し、前記平坦化層の前記表面電極側は、平らに形成されていることを要旨とする。
【００１９】
本発明の他の特徴は、前記画像表示パネルは、カラーフィルタを有し、前記カラーフィルタは、前記表面基板の内側の表面上に形成され、前記平坦化層で覆われていることを要旨とする。
【発明の効果】
【００２０】
本発明に係る画像表示パネルによれば、ブラックマトリックス層等の有色層を表面基板と隔壁との間に形成することによる問題を生じさせることなく、画素に対応する各セルと各セルの境界部分とのコントラスト比を向上させ、画像視認性を向上させることができる。
【図面の簡単な説明】
【００２１】
【図１】図１は、本発明の実施形態に係る画像表示パネル１Ａの平面図である。
【図２】図２（ａ）は、本発明の実施形態に係る画像表示パネル１Ａのコーナー部の配置形状を示す拡大平面図である。図２（ｂ）は、本発明の実施形態の変形例に係る画像表示パネル１Ａのコーナー部の配置形状を示す拡大平面図である。
【図３】図３（ａ）及び図３（ｂ）は、本発明の実施形態に係る画像表示パネル１Ａの情報表示領域１０Ａにおける拡大断面図である。
【図４】図４（ａ）は、画像表示パネル１Ｂの情報表示領域１０Ｂにおける拡大平面図である。図４（ｂ）は、図４（ａ）のＢ−Ｂ断面図である。
【発明を実施するための形態】
【００２２】
本発明に係る画像表示パネルの一例について、図面を参照しながら説明する。具体的には、（１）画像表示パネル１Ａの概略構成、（２）画像表示パネル１Ａの情報表示原理、（３）画像表示パネル１Ａの製造方法、（４）画像表示パネル１Ｂの概略構成、（５）その他実施形態、（６）作用・効果について説明する。
【００２３】
以下の図面の記載において、同一または類似の部分には、同一又は類似の符号を付している。図面は模式的なのものであり、各寸法の比率などは現実のものとは異なることを留意すべきである。従って、具体的な寸法などは以下の説明を参酌して判断すべきものである。図面相互間においても互いの寸法の関係や比率が異なる部分が含まれていることは勿論である。
（１）画像表示パネル１Ａの概略構成
本実施形態に係る画像表示パネル１Ａの構成について、図１から図３を参照しながら説明する。図１は、本発明の実施形態に係る画像表示パネル１Ａの平面図である。図２（ａ）は、本発明の実施形態に係る画像表示パネル１Ａのコーナー部の配置形状を示す拡大平面図である。図２（ｂ）は、本発明の実施形態の変形例に係る画像表示パネル１Ａのコーナー部の配置形状を示す拡大平面図である。図３（ａ）及び図３（ｂ）は、本発明の実施形態に係る画像表示パネル１Ａの情報表示領域１０Ａにおける拡大断面図である。具体的には、基板２０（表面基板２０ａ又は裏面基板２０ｂ）面に対して直交する断面における断面図である。第１方向ｘと第２方向ｙとは、平面視において、格子状の隔壁５０に沿った方向である。第３方向ｚは、画像表示パネル１Ａの高さ方向である。
【００２４】
図１に示されるように、画像表示パネル１Ａは、情報が表示される情報表示領域１０Ａを有する。情報表示領域１０Ａは、表面基板２０ａ側からの平面視において、表示媒体１００が配置されている領域である。情報表示領域１０Ａの周囲は、枠リブ１５０で囲われている。枠リブ１５０は、表面基板２０ａと裏面基板２０ｂとの間に形成される。枠リブ１５０は、後述する表面基板２０ａと裏面基板２０ｂとの間の空間を確保するために形成される。枠リブ１５０の外周側には、シール部材２００が形成されている。シール部材２００を形成することにより、表面基板２０ａと裏面基板２０ｂとの間の空間Ｓを外部雰囲気からシールする。
【００２５】
図２（ａ）に示されるように、画像表示パネル１Ａにおいて、シール部材２００の外側には、表面基板２０ａと裏面基板２０ｂとの間を確保するために補強的に設けられる補強部材２５０は形成されていないが、図２（ｂ）に示されるように、補強部材２５０を所定間隔を空けて形成しても良い。また、図示していないが、平面視において、シール部材２００とシール部材２００の間を封口剤により、封止しても良い。
【００２６】
図１及び図３に示されるように、画像表示パネル１Ａは、表面基板２０ａ、裏面基板２０ｂ、表面電極４０ａ、裏面電極４０ｂ、隔壁５０、接着層６０、有色層７０、散乱層８０、及び、表示媒体１００を有する。
【００２７】
表面基板２０ａは、表示された情報が視認される側に形成される。具体的には、観察者は、表面基板２０ａ側から観察することによって、表示された情報が視認される。表面基板２０ａは、透明な基板である。表面基板２０ａは、少なくとも情報表示領域１０Ａにおいては、可視光との透過率が高く、かつ耐熱性の良いものが好ましい。
【００２８】
裏面基板２０ｂは、表面基板２０ａに対向する。裏面基板２０ｂは、透明な基板である。裏面基板２０ｂは、少なくとも情報表示領域１０Ａにおいては、可視光との透過率が高く、かつ耐熱性の良いものが好ましい。
【００２９】
表面電極４０ａは、表面基板２０ａ側に形成される透明な電極である。少なくとも画像表示パネル１Ａにおいては、表面電極４０ａは、表面基板２０ａ上に形成されている。裏面電極４０ｂは、裏面基板２０ｂ側に形成される電極である。具体的には、裏面電極４０ｂは、裏面基板２０ｂ上に形成されている。平面視において、表面電極４０ａと裏面電極４０ｂとが互いに交差している。この一対の電極４０が交差している部分が画素に対応する。
【００３０】
隔壁５０は、表面基板２０ａと裏面基板２０ｂとの間に形成される。隔壁５０は、表示媒体１００を封入する空間を仕切る。従って、上面が表面基板２０ａ又は表面基板２０ａで形成され、下面が裏面基板２０ｂで形成され、側面が隔壁５０で形成された空間Ｓが形成される。隔壁５０は、表面基板２０ａと裏面基板２０ｂとの間の空間Ｓを確保している。空間Ｓには、表示媒体１００の他に、気体（例えば、空気）が封入されている。なお、、空間Ｓは、真空であっても良い。
【００３１】
隔壁５０は、表面基板２０ａ側から視て、格子状に形成される。格子状とは、所定の空間が形成されるように、周期的に配置されていればよい。従って、第１方向ｘに沿った複数の縦ラインと、第２方向ｙに沿った複数の横ラインとが互いに垂直に交わって、略四角形状の空間Ｓが形成される場合だけでなく、例えば、表面基板２０ａ側からの平面視において、空間Ｓが多角形状に形成されるように、隔壁５０は形成されていても良い。他にも、階段型八角形状、レーストラック形状に、隔壁５０は形成されていても良い。
【００３２】
図３（ａ）及び図３（ｂ）に示されるように、隔壁５０の表面側端部は、表面基板２０ａに接合されている。隔壁５０の裏面側端部は、接着層６０を挟んで裏面電極４０ｂと接合されている。画像表示パネル１Ａは、平面視において、表面電極４０ａと裏面電極４０ｂとが互いに交差して構成されるパッシブマトリックス駆動方式の画像表示パネルである。このため、図示されていないが、隔壁５０の表面側端部は、表面電極４０ａに接合されているところもある。隔壁５０の裏面側端部は、接着層６０を挟んで裏面基板２０ｂと接合されているところもある。
【００３３】
隔壁５０は、透明である。これによって、裏面基板２０ｂの外側に形成される有色層７０が、表面基板２０ａ側から視た観測者に観測できる。
【００３４】
接着層６０は、隔壁５０上に形成される。接着層６０の一面は、隔壁５０と接している。一面に対向する接着層６０の他面は、表面基板２０ａ、表面電極４０ａ、裏面電極４０ｂ又は裏面基板２０ｂと接している。隔壁５０と接着層６０を介して表面基板２０ａと裏面基板２０ｂとが固定される。画像表示パネル１Ａにおいては、接着層６０は、裏面基板２０ｂ側に形成されている。
【００３５】
接着層６０は、透明である。これによって、裏面基板２０ｂの外側に形成される有色層７０が、表面基板２０ａ側から視た観測者に観測できる。接着剤としては、例えば、エポキシ系接着剤、アクリル系接着剤が用いられる。
【００３６】
有色層７０は、情報表示領域１０Ａにおいて、裏面基板２０ｂの外側に形成される。裏面基板２０ｂの外側とは、表面基板２０ａ側とは反対側をいう。有色層７０は、裏面基板２０ｂの外側の表面上に形成される。有色層７０は、情報表示領域１０Ａの全面に形成されているが、表面基板２０ａ側から視て、隔壁５０と対応する部分に形成されていても良い。有色層７０は、裏面基板２０ｂの全面に形成されていても良い。有色層７０と裏面基板２０ｂとの間に他の層が形成されていても良いが、表面基板２０ａ側から視て隔壁５０と対応する他の層部分は、透明であることを要する。
【００３７】
有色層７０の色は、特に限定されないが、白色又は黒色であることが好ましい。有色層７０を白色とした場合は、従来のホワイトマトリックス層を使用した場合と同様の効果が得られる。有色層７０を黒色とした場合は、従来のブラックマトリックス層を使用した場合と同様の効果が得られる。他の色としては、例えば、青色、緑色を使用することも可能である。また、有色層７０は、１色で構成される必要はない。有色層７０は、複数の色を部分的に用いて形成されていても良い。
【００３８】
表面基板２０ａ、表面電極４０ａ、隔壁５０、接着層６０、裏面電極４０ｂ及び裏面基板２０ｂは、透明であるため、裏面基板２０ｂの外側に形成された有色層７０は、表面基板２０ａ側から視て、隔壁５０と対応する部分から視認することができる。
【００３９】
散乱層８０は、表面基板２０ａの外側に形成されている。表面基板２０ａの外側とは、裏面基板２０ｂ側とは反対側をいう。すなわち、表面基板２０ａの観察者に近い側である。情報表示領域１０Ａでは、散乱層８０は、表面基板２０ａ上に形成されている。散乱層８０は、光を散乱する。散乱層８０は、光を散乱すれば、散乱方法は問わない。例えば、散乱層８０の表面に凹凸を有することにより、光を散乱しても良い。、散乱層８０は、観察者側の表面に凹凸を有する。散乱層８０は、散乱層８０の屈折率と異なる屈折率を持つ粒子を散乱層８０内部に含むことにより、光を散乱しても良い。散乱層８０と粒子との屈折率との差による内部散乱により光が散乱される。両方の方法を組み合わせても良いし、別の方法により、散乱層を形成しても良い。
【００４０】
表示媒体１００は、複数の粒子からなる。画像表示パネル１Ａにおいては、表示媒体１００は、例えば、負帯電性白色粒子を含んだ粒子群である複数の白色表示媒体１００Ｗと正帯電性黒色粒子を含んだ粒子群である複数の黒色表示媒体１００Ｂとからなる。
【００４１】
表示媒体１００は、帯電性を有する。このため、表示媒体１００は、電気的に駆動可能である。表面電極４０ａと裏面電極４０ｂとに電圧を印加することによって、表示媒体１００は駆動する。
【００４２】
（２）画像表示パネル１Ａの情報表示原理
本実施形態に係る画像表示パネル１Ａの情報表示原理について、図２（ａ）及び図２（ｂ）を参照しながら簡単に説明する。
【００４３】
図示されていない表面電極４０ａ及び裏面電極４０ｂに電気的に接続されたドライブ回路から、表面電極４０ａ及び裏面電極４０ｂに電圧が印加される。これによって、表面電極４０ａと裏面電極４０ｂとの間に電界が発生する。表示媒体１００は、帯電性を有するため、発生した電界に沿って、表示媒体１００が電極４０に引き寄せられたり、遠ざかったりする。
【００４４】
例えば、白色表示媒体１００Ｗは、負に帯電しており、黒色表示媒体１００Ｂは性に帯電しているとする。表面電極４０ａに正の電圧をかけ、裏面電極に負の電圧をかける。これによって、図３（ａ）に示されるように、負に帯電している白色表示媒体１００Ｗは、表面電極４０ａ側に移動する。負に帯電している黒色表示媒体１００Ｂは、裏面電極４０ｂ側に移動する。この場合、観察者は、白色が表示されていると視認する。
【００４５】
図３（ｂ）に示されるように、表面電極４０ａ及び裏面電極４０ｂに電圧を印加して、黒色表示媒体１００Ｂが表面電極４０ａ側に移動させている。この場合、観察者は、黒色が表示されていると視認する。
【００４６】
（３）画像表示パネル１Ａの製造方法
本発明に係る画像表示パネル１Ａの製造方法について、図１から図３を参照しながら説明する。
【００４７】
表面基板２０ａ及び裏面基板２０ｂを準備する。表面基板２０ａは、情報表示領域１０Ａにおいて、表示媒体１００の色が視認できる基板を準備する。裏面基板２０ｂは、情報表示領域１０Ａにおいて、有色層７０の色が視認できる基板を準備する。
【００４８】
表面基板２０ａ及び裏面基板２０ｂに用いられる材料として、例えば、ポリエチレンテレフタレート、ポリエチレンナフタレート、ポリエーテルサルフォン、ポリエチレン、ポリカーボネート、ポリイミド、アクリル等の高分子材料、ガラス、石英、硬質プラスチックが挙げられる。
【００４９】
準備された表面基板２０ａ上に、表面電極４０ａを形成する。表面電極４０ａは、例えば、スパッタリング法、真空蒸着法、化学気相蒸着法（ＣＶＤ法）、塗布法が用いられる。表面電極４０ａに用いられる材料としては、導電性を有し、光透過性を有する材料が用いられる。表面電極４０ａの材料として、例えば、酸化インジウム錫（ＩＴＯ）、亜鉛ドープ酸化インジウム（ＩＺＯ）、アルミニウムドープ酸化亜鉛（ＡＺＯ）、酸化インジウム、導電性酸化錫、アンチモン鉛酸化物（ＡＴＯ）、導電性酸化亜鉛等の導電金属酸化物類、ポリアニリン、ポリピロール、ポリチオフェン（例えば、ＰＥＤＯＴ−ＰＳＳ（Poly(3,4-ethylenedioxythiophene)/Poly(Styrenesufonate)）等の導電性高分子が挙げられる。
【００５０】
準備された表面基板２０ａ上及び表面電極４０ａ上に、隔壁５０を形成する。隔壁５０は、例えば、金型転写法、スクリーン印刷法、サンドブラスト法、フォトリソ法、アクティブ法を用いて形成される。隔壁５０の材料として、例えば、ポリエチレンテレフタレート（ＰＥＴ）、ポリエチレンナフタレート（ＰＥＮ）、トリアセチルセルロース（ＴＡＣ）、ポリカーボネート（ＰＣ）、ポリエーテルサルフォン（ＰＥＳ）、ポリメチルメタクリレート（ＰＭＭＡ）等のアクリル系樹脂や、スチレン-ブタジエンゴム、ブタジエンゴム、エチレン-プロピレン-ジエンゴム（ＥＰＤＭゴム）、シリコーンゴム、ウレタンゴムなどの合成ゴムおよびポリエチレン樹脂、ポリプロピレン樹脂、ウレタン樹脂、フッ素樹脂、ポリアミド樹脂（ナイロン等）などの高分子材料から透明なものを選択して用いる。フォトリソグラフィーで隔壁５０を形成する場合は、レジスト材が好適であり、液状レジスト材やドライフィルムレジスト材が用いられる。ドライフィルムレジスト材の一例として、アルフォＮＩＴ２（ニチゴーモートン社製）やＰＤＦ３００（新日鐵化学社製）を使用することができる。これらのレジスト材は露光硬化後に透明となるので好ましく用いられる。
【００５１】
基板２０と垂直な方向における隔壁５０の長さは、表示媒体１００の粒径によって適宜調整する。例えば、表示媒体１００の平均粒径が１μｍ〜２０μｍの範囲内であれば、隔壁５０の長さが１０μｍ〜５００μｍ、好ましくは、１０μｍ〜１００μｍに、さらに好ましくは、１０μｍ〜５０μｍとなるように、隔壁５０を形成する。
【００５２】
枠リブ１５０は、情報表示領域１０Ａの外側に形成される。表面基板２０ａと裏面基板２０ｂとの間に形成される。枠リブ１５０は、隔壁５０と同様にして形成される。なお、補強部材２５０も、隔壁５０と同様にして形成される。
【００５３】
シール部材２００は、枠リブ１５０の外側に形成される。シール部材２００は、例えば、ディスペンサ法を用いて形成される。シール部材２００の材料としては、エポキシ系樹脂、アクリル系樹脂や末端に（メタ）アクリロイル基を有する反応性ポリマー（以下に示した）などの高分子材料を用いることができる。これらの高分子材料に熱開始剤または光開始剤または熱開始剤と光開始剤の両方を配合して、配置後に硬化させる。末端に（メタ）アクリロイル基を有する反応性ポリマーは、下記化学式(1)または(2)で表わされる。
【００５４】
【化１】
2011209325.tif 000003
【００５５】
【化２】
2011209325.tif 000004
【００５６】
式中、Ａはジエン系オリゴマー鎖を示し、R1 は水素原子またはメチル基を示す。Ａのジエン系オリゴマー鎖としては、ポリブタジエン、ポリイソプレン、スチレン―ブタジエンコポリマー、アクリロニトリル―ブタジエンコポリマー、ポリクロロプレン、ポリ（オキシプロピレン）、ポリ（オキシエチレン）、ポリオレフィングリコールおよびこれらを水素化したものが挙げられる。これらの中では特に水素化されると化学的に安定性の向上が期待できるポリブタジエンおよびポリイソプレンが水素化を適用する高分子としては好ましい。
【００５７】
（メタ）アクリル酸エステルモノマーとしては，メチル（メタ）アクリレート、エチル（メタ）アクリレート、プロピル（メタ）アクリレート、ｎ−ブチル（メタ）アクリレート、イソブチル（メタ）アクリレート、ｔｅｒｔ−ブチル（メタ）アクリレート、イソデシル（メタ）アクリレート、ラウリル（メタ）アクリレート、イソミリスチル（メタ）アクリレート、ステアリル（メタ）アクリレート、フェノキシエチル（メタ）アクリレート、ベンジル（メタ）アクリレート、フェノキシエチル（メタ）アクリレート、ジシクロペンタニル（メタ）アクリレート、ジシクロペンテニル（メタ）アクリレート、ボルニル（メタ）アクリレート、イソボルニル（メタ）アクリレート、２−メチル−２−アダマンチル（メタ）アクリレート、等の各種モノ（メタ）アクリレートを挙げることができる。これらは１種を単独で用いても良く、２種以上を組み合わせて用いても良い。
【００５８】
これらのうち、本発明においては、イソボルニルアクリレート、ジシクロペンタニルアクリレート及びジシクロペンテニルアクリレートが好ましい。
【００５９】
一方、準備された裏面基板２０ｂ上には、裏面電極４０ｂが形成される。裏面電極４０ｂの形成方法及び用いられる材料は、表面電極４０ａと同様の方法及び材料が用いられる。
【００６０】
準備された裏面基板２０ｂ上には、有色層７０が形成される。有色層７０は、裏面電極４０ｂが形成された面と反対側の面上に形成される。有色層７０が形成される側が裏面基板２０ｂの外側となる。裏面電極４０ｂが形成される側が裏面基板２０ｂの内側となる。
【００６１】
有色層７０は、例えば、スクリーン印刷法、シートを貼り合わせる貼付法を用いて形成される。有色層７０とする材料としては、印刷用のインク、複写機やプリンターで用いられるトナーを用いることができる。また、有色層７０は、黒色紙のような有色の紙や、黒色のポリエチレンテレフタレート（ＰＥＴ）シートのような有色シートを貼り合わせて形成することもできる。
【００６２】
有色層７０は、表面基板２０ｂと裏面基板２０ｂとが固定された後に形成されても良いし、固定される前の裏面基板２０ｂに形成しても良い。
【００６３】
有色層７０は、裏面基板２０ｂの外側に形成される。このため、従来のように、隔壁５０の位置に合わせてブラックマトリックス層を形成する場合に比べて、容易に形成できる。従って、製造単価を安価にすることができる。
【００６４】
次に、隔壁５０が形成された表面基板２０ａと、裏面基板２０ｂとを固定する。具体的には、接着剤を介して、隔壁５０と裏面基板２０ｂとを接着することにより、表面基板２０ａと裏面基板２０ｂとが固定される。
【００６５】
接着剤は、隔壁５０上に塗布しても良いし、裏面基板２０ｂ上及び裏面電極４０ｂ上の隔壁５０と接着される部分に塗布しても良い。
【００６６】
隔壁５０が形成された表面基板２０ａと、裏面基板２０ｂとを固定する場合、空間Ｓに、表示媒体１００を配置しておく。
【００６７】
表示媒体１００は、その主成分となる樹脂に、必要に応じて、従来と同様に、荷電制御剤、着色剤、無機添加剤等を含ますことができる。
【００６８】
樹脂の例としては、例えば、基板との付着力を制御する観点から、アクリルウレタン樹脂、アクリルシリコーン樹脂、アクリルフッ素樹脂、アクリルウレタンシリコーン樹脂、アクリルウレタンフッ素樹脂、フッ素樹脂、シリコーン樹脂が好適である。
【００６９】
荷電制御剤としては、特に制限はないが、負荷電制御剤としては例えば、サリチル酸金属錯体、含金属アゾ染料、含金属（金属イオンや金属原子を含む）の油溶性染料、４級アンモニウム塩系化合物、カリックスアレン化合物、含ホウ素化合物（ベンジル酸ホウ素錯体）、ニトロイミダゾール誘導体等が挙げられる。正荷電制御剤としては例えば、ニグロシン染料、トリフェニルメタン系化合物、４級アンモニウム塩系化合物、ポリアミン樹脂、イミダゾール誘導体等が挙げられる。
【００７０】
着色剤としては、有機または無機の各種、各色の顔料、染料が使用可能である。
【００７１】
黒色着色剤としては、カーボンブラック、酸化銅、二酸化マンガン、アニリンブラック、活性炭等がある。白色着色剤としては、亜鉛華、酸化チタン、アンチモン白、硫化亜鉛等がある。
【００７２】
体質顔料としては、バライト粉、炭酸バリウム、クレー、シリカ、ホワイトカーボン、タルク、アルミナホワイト等がある。
【００７３】
無機系添加剤の例としては、酸化チタン、亜鉛華、硫化亜鉛、酸化アンチモン、炭酸カルシウム、鉛白、タルク、シリカ、ケイ酸カルシウム、アルミナホワイト、カドミウムイエロー、カドミウムレッド、カドミウムオレンジ、チタンイエロー、紺青、群青、コバルトブルー、コバルトグリーン、コバルトバイオレット、酸化鉄、カーボンブラック、マンガンフェライトブラック、コバルトフェライトブラック、銅粉、アルミニウム粉などが挙げられる。
【００７４】
これらの顔料および無機系添加剤は、単独であるいは複数組み合わせて用いることができる。このうち特に、黒色顔料としてカーボンブラックが、白色顔料として酸化チタンが好ましい。
【００７５】
表面基板２０ａと裏面基板２０ｂとをプレスにより貼り合わせる。接着剤が、裏面基板２０ｂ上及び裏面電極４０ｂ上の隔壁５０と接着される部分に塗布されている場合は、位置合わせをより正確に行う必要がある。また、有色層７０が、表面基板２０ａ側から視て、隔壁５０と対応する部分に形成されている場合も同様に、位置合わせをより正確に行う必要がある。
【００７６】
散乱層８０を表面基板２０ａ上に形成する。具体的には、散乱層８０は、表面基板２０ａの外側表面上に形成される。散乱層８０は、例えば、ＡＧ（Anti-Glare）フィルムを貼り付けることによって、形成される。ＡＧフィルムは、市販されているものが用いられる。散乱層８０は、表面基板２０ａと裏面基板２０ｂとを貼り合わせる前に形成しても良い。
【００７７】
なお、後述する画像表示パネル１Ｂと同様に、平坦化層３０が表面基板２０ａに形成しても良い。裏面基板２０ｂの外側には、画像表示パネルの製造情報が記録されたバーコードが印刷されたシールを貼り付けていても良い。
【００７８】
以上のようにして、本発明に係る画像表示パネル１Ａが製造できる。
【００７９】
（４）画像表示パネル１Ｂの概略構成
以下において、画像表示パネル１Ｂの概略構成について、図面を参照しながら説明する。以下においては、画像表示パネル１Ａとの相違点について主に説明する。図４（ａ）は、画像表示パネル１Ｂの情報表示領域１０Ｂにおける拡大平面図である。図４（ｂ）は、図４（ａ）のＢ−Ｂ断面図である。すなわち、図４（ｂ）は、画像表示パネル１Ｂの情報表示領域１０Ｂにおける拡大断面図である。
【００８０】
図４（ａ）及び図４（ｂ）に示されるように、画像表示パネル１Ｂは、表面基板２０ａ、裏面基板２０ｂ、平坦化層３０、表面電極４０ａ、裏面電極４０ｂ、隔壁５０、接着層６０、有色層７０、散乱層８０、カラーフィルタ９０、及び、表示媒体１００を有する。表面基板２０ａ、裏面基板２０ｂ、表面電極４０ａ、裏面電極４０ｂ、隔壁５０、接着層６０、有色層７０、散乱層８０、及び、表示媒体１００については、画像表示パネル１Ａと同様であるため、説明は省略する。
【００８１】
平坦化層３０は、表面基板２０ａと表面電極４０ａとの間に形成される。情報表示領域１０Ａにおいて、平坦化層３０は、表面基板２０ａの全面を覆っているが、平坦化層３０は、表面基板２０ａを部分的に覆っていても良い。平坦化層３０の表面電極４０ａ側の表面は、平らに形成される。平坦化層３０は、透明である。
【００８２】
平坦化層３０は、表面基板２０ａ上に平坦化層３０を形成される。平坦化層３０としては、例えば、エポキシ系ポリマー又はアクリル系ポリマー等の透明性を有する高分子が用いられる。平坦化層３０は、例えば、スパッタリング法、真空蒸着法、化学気相蒸着法（ＣＶＤ法）を用いて形成することができる。
【００８３】
図４（ａ）及び図４（ｂ）に示されるように、画像表示パネル１Ｂは、カラーフィルタ９０を有している。具体的には、情報表示領域１０Ｂにカラーフィルタ９０が形成されている。画像表示パネル１Ｂにおいては、カラーフィルタ９０として、赤フィルタ９０Ｒ、緑フィルタ９０Ｇ及び青フィルタ９０Ｂが形成されている。
【００８４】
図４（ａ）に示されるように、表面基板２０ａ側からの平面視において、カラーフィルタ９０は、規則性を持って配列されている。具体的には、平面視において格子状に形成された隔壁５０に囲まれた領域に、赤フィルタ９０Ｒ、緑フィルタ９０Ｇ及び青フィルタ９０Ｂが配置されている。隔壁５０に囲まれた領域において、左上に赤フィルタ９０Ｒが配置され、右上に緑フィルタ９０Ｇが配置され、左下に青フィルタ９０Ｂが配置されている。右下には、カラーフィルタ９０は配置されていない。平面視における空間Ｓにおいて、表面電極４０ａと裏面電極４０ｂとが重なる領域が４つ形成されており、そのうちの３つの領域にカラーフィルタ９０が配置されている。
【００８５】
図４（ｂ）に示されるように、カラーフィルタ９０（青フィルタ９０Ｂ）は、表面基板２０ａと表面電極４０ａとの間に形成されている。具体的には、カラーフィルタ９０（青フィルタ９０Ｂ）は、表面基板２０ａの内側の表面上に形成されている。
【００８６】
図４（ｂ）に示されるように、白色表示媒体１００Ｗが表面基板２０ａ側にある場合、観察者が青フィルタ９０Ｂを観察すると、青色が表示されていると視認する。その他のカラーフィルタ９０についても同様であり、観察者が赤フィルタ９０Ｒを観察すると、観察者は、赤色が表示されていると視認する。観察者が緑フィルタ９０Ｇを観察すると、観察者は、緑色が表示されていると視認する。
【００８７】
平坦化層３０は、カラーフィルタ９０（青フィルタ９０Ｂ）を覆って形成されている。このため、カラーフィルタ９０を形成しても、表面電極４０ａと裏面電極４０ｂとの間隔が一定に保たれる。平坦化層３０が形成されていない場合は、カラーフィルタ９０の厚みの分だけ表面電極４０ａと裏面電極４０ｂとの間隔がずれることになる。これによって、平面視において、カラーフィルタ９０が配置された領域にある表示媒体１００と、カラーフィルタ９０が配置されていない領域にある表示媒体１００との応答性に差が生じることになり、表示品質の低下につながる。平坦化層３０を形成することによって、表面電極４０ａと裏面電極４０ｂとの間隔を一定に保ち、表示媒体１００の応答性を均一にできる。
【００８８】
また、各色のカラーフィルタ９０は、同じ厚さで形成することもあるが、それぞれに適正な異なる厚さで形成することもある。異なる厚さで形成する場合、カラーフィルタ９０の上に配置する平坦化層３０は、その上に形成する表面電極４０ａを平坦とする。従って、図４（ａ）及び図４（ｂ）に示した例のように、画素を２×２配列で配置して、１画素にはカラーフィルタ９０を配置しない構成では、平坦化層３０を設けるのが好ましい。カラーフィルタ９０および画素の配置は、上記した２×２配列のほか、４×１配列にしたり、３×１配列にして３画素すべてにカラーフィルタを配置したりすることもできる。
【００８９】
カラーフィルタ９０は、例えば、表面基板２０ａ上にカラーフィルタレジストを塗布することによって形成される。
【００９０】
（５）その他実施形態
本発明の実施形態・変形例を通じて本発明の内容を開示したが、この開示の一部をなす論述及び図面は、本発明を限定するものであると理解すべきではない。本発明はここでは記載していない様々な実施形態を含む。
【００９１】
本発明の実施形態では、画像表示パネル１Ａは、平面視において、表面電極４０ａと裏面電極４０ｂとが互いに交差して構成されるパッシブマトリックス駆動方式の画像表示パネルであるが、必ずしもそうである必要はない。例えば、アクティブマトリックス駆動方式の画像表示パネルであっても良い。この場合、表面電極４０ａを共通電極とし、裏面電極４０ｂをＴＦＴ付き画素電極となる。
【００９２】
本発明の実施形態では、隔壁５０は表面基板２０ａ側に形成され、接着層６０は、裏面基板２０ｂ側に形成されているが、必ずしもそうである必要はない。例えば、隔壁５０は裏面基板２０ｂ側に形成され、接着層６０は、表面基板２０ａ側に形成されていても良い。また、隔壁５０は、表面基板２０ａ側又は裏面基板２０ｂ側に形成される、いわゆる片リブ法が用いられているが、必ずしもそうである必要はない。表面基板２０ａ側及び裏面基板２０ｂ側に隔壁５０を形成し、隔壁５０と隔壁５０とを接着層６０によって、接着しても良い。
【００９３】
本発明の実施形態では、画像表示パネル１Ａにおいては、表面電極４０ａと裏面電極４０ｂとが平面視において重複する重複領域と、空間Ｓとが１対１で対応している。画像表示パネル１Ｂにおいては、重複領域と空間Ｓとが４対１で対応している。本発明はこれに限られず、空間Ｓに対して、複数の重複領域が対応していても良い。
【００９４】
本発明の実施形態では、平面視において隔壁５０に囲まれた領域である空間Ｓにおいて、左上に赤フィルタ９０Ｒが配置され、右上に緑フィルタ９０Ｇが配置され、左下に青フィルタ９０Ｂが配置されているが、必ずしもそうである必要はない。例えば、左下に赤フィルタ９０Ｒが配置され、右下に緑フィルタ９０Ｇが配置され、右上に青フィルタ９０Ｂが配置されていても良い。また、隣り合う空間Ｓとで、カラーフィルタ９０を同一の配置にする必要はなく、別々の構成にしても良い。従って、本発明の技術的範囲は上記の説明から妥当な特許請求の範囲に係る発明特定事項によってのみ定められるものである。
【００９５】
（６）作用・効果
本発明の実施形態に係る画像表示パネル１Ａ又は画像表示パネル１Ｂにおいて、裏面基板２０ｂ、隔壁５０、接着層は、透明である。表面基板２０ａ及び表面電極４０ａは透明である。隔壁５０は、表面基板２０ａ側から視て、格子状に形成される。情報表示領域１０（情報表示領域１０Ａ又は情報表示領域１０Ｂ）において、裏面基板２０ｂの外側には、有色層７０が形成されている。このため、表面基板２０ａ側から視た観察者は、格子状の有色層７０の色を視認することができる。すなわち、画素に対応する各セルの周囲が有色層７０の色に視認される。これによって、空間Ｓと空間Ｓの境界部分とのコントラスト比が向上する。裏面基板２０ｂの外側に有色層７０が形成されているため、表面電極４０ａと裏面電極４０ｂとの短絡が発生することもない。従って、ブラックマトリックス層等の有色層７０を表面基板２０ａと隔壁５０との間に形成することによる問題を生じさせることなく、画像視認性を向上させることができる。
【００９６】
本発明の実施形態に係る画像表示パネル１Ａ及び画像表示パネル１Ｂにおいて、表面基板２０ａの外側には、光を散乱する散乱層８０が形成されている。表面基板２０ａと裏面基板２０ｂをつなぐために隔壁５０上に形成される接着層６０にムラが生じることがある。また、接着層６０に気泡が入り込むこともある。散乱層８０が形成されていない場合には、隔壁５０を透明にしたことによって、このような接着層６０のムラや気泡が観察者に視認される。表面基板２０ａの外側に散乱層８０を形成することによって、接着層６０からの光は、散乱される。このため、観察者には、接着層６０のムラが明瞭に観察されることはなくなる。従って、隔壁５０を透明にしても、表示品質を維持できる。
【００９７】
さらに、散乱層８０を形成することによって、太陽光や室内照明からの反射光が散乱される。すなわち、太陽光や室内照明からの反射光強度が低下する。このため、太陽や室内照明が画面に映り込むことを防止できる。これによって、観察者にとって、見やすい画面となり、画面視認性及び表示品質を向上できる。
【００９８】
表面基板２０ａに破損しやすい材料（例えば、ガラス）を用いた場合、画像表示パネル１Ａ又は画像表示パネル１Ｂを使用中に表面基板２０ａの破損が生じると、表面基板２０ａの破片によって、観察者が怪我をするおそれがある。本発明の実施形態に係る画像表示パネル１Ａ又は画像表示パネル１Ｂにおいて、表面基板２０ａの外側に散乱層８０が形成されているため、散乱層８０が飛散防止フィルムとして機能する。このため、表面基板２０ａの破片が観察者に飛散するのを抑制できるので、製品の安全性の向上も図られる。
【００９９】
有色層７０は、表面基板２０ａ側から視て、隔壁５０と対応する部分に形成されていても良い。有色層７０は、情報表示領域１０（情報表示領域１０Ａ又は情報表示領域１０Ｂ）の全面に形成されていても良い。この場合は、有色層７０が、裏面基板２０ｂの全面に形成される場合に比べて、有色層７０の使用量を少なくすることができる。このため、材料費を安価にすることができる。
【０１００】
本発明の実施形態に係る画像表示パネル１Ａ又は画像表示パネル１Ｂにおいて、接着層６０は、隔壁５０よりも裏面基板２０ｂ側に形成されている。これによって、○○。
【０１０１】
本発明の実施形態に係る画像表示パネル１Ｂにおいて、画像表示パネル１は、表面基板２０ａと表面電極４０ａとの間に透明な平坦化層３０を有している。平坦化層３０の表面電極４０ａ側は、平らに形成されている。これによって、表面電極４０ａを形成する場合、表面基板２０ａが凹凸を有していても、表面電極４０ａの高さが一定に保たれる。これによって、表面電極４０ａと裏面電極４０ｂとの間隔を一定に保ち、表示媒体１００の応答性を均一にできる。
【０１０２】
本発明の実施形態に係る画像表示パネル１Ｂでは、画像表示パネル１Ｂは、カラーフィルタ９０を有する。カラーフィルタ９０は、表面基板２０ａの内側の表面上に形成されている。カラーフィルタ９０は、平坦化層３０で覆われている。これによって、表面電極４０ａと裏面電極４０ｂとの間隔を一定に保ち、表示媒体１００の応答性を均一にできる。
【符号の説明】
【０１０３】
Ｓ…空間
ｘ…第１方向
ｙ…第２方向
ｚ…第３方向
１Ａ…画像表示パネル
１Ｂ…画像表示パネル
１０Ａ…情報表示領域
１０Ｂ…情報表示領域
２０…基板
２０ａ…表面基板
２０ｂ…表面基板
２０ｂ…裏面基板
３０…平坦化層
４０…電極
４０ａ…表面電極
４０ｂ…裏面電極
５０…隔壁
６０…接着層
７０…有色層
８０…散乱層
９０…カラーフィルタ
９０Ｂ…青フィルタ
９０Ｇ…緑フィルタ
９０Ｒ…赤フィルタ
１００…表示媒体
１００Ｂ…黒色表示媒体
１００Ｗ…白色表示媒体
１５０…枠リブ
２００…シール部材
２５０…補強部材
【図１】
2011209325.tif 000005
【図２】
2011209325.tif 000006
【図３】
2011209325.tif 000007
【図４】
2011209325.tif 000008
【手続補正書】
【提出日】平成22年7月12日(2010.7.12)
【手続補正１】
【補正対象書類名】明細書
【補正対象項目名】０１００
【補正方法】変更
【補正の内容】
【０１００】
本発明の実施形態に係る画像表示パネル１Ａ又は画像表示パネル１Ｂにおいて、接着層６０は、隔壁５０よりも裏面基板２０ｂ側に形成されている。